(57)【要約】【課題】入金処理を迅速化することができる有価媒体処理装置を提供すること。【解決手段】有価媒体が投入される投入口４１と、有価媒体を一時保留する一時保留部４３と、有価媒体を収納する収納部４５と、投入口４１に投入された有価媒体を一時保留部４３に保留した後に収納部４５へ搬送する保留経路４６と投入口４１に投入された有価媒体を一時保留部４３に保留させることなく収納部４５へ搬送する非保留経路とを備えた搬送部４６と、所定の条件が成立した場合に、搬送部４６を制御して保留経路４６および非保留経路から搬送経路を選択、決定し、決定された経路を通じて有価媒体の搬送を行わせる制御部２と、を有する有価媒体処理装置とした。【選択図】図３
2010170552.tif 000002
【特許請求の範囲】
【請求項１】
有価媒体が投入される投入口と、
有価媒体を一時保留する一時保留部と、
有価媒体を収納する収納部と、
前記投入口に投入された有価媒体を前記一時保留部に保留した後に前記収納部へ搬送する保留経路と前記投入口に投入された有価媒体を前記一時保留部に保留させることなく前記収納部へ搬送する非保留経路とを備えた搬送部と、
所定の条件が成立した場合に、前記搬送部を制御して前記保留経路および前記非保留経路から搬送経路を選択、決定し、決定された経路を通じて有価媒体の搬送を行わせる制御部と
を有することを特徴とする有価媒体処理装置。
【請求項２】
前記投入口に投入された有価媒体に関する情報を取得する有価媒体情報取得部を備え、
前記制御部は、前記有価媒体情報取得部により取得された前記有価媒体情報に基づいて、前記所定の条件が成立したと判定した場合に、搬送部を制御して、前記非保留経路を通じて有価媒体の搬送を行わせることを特徴とする請求項１に記載の有価媒体処理装置。
【請求項３】
前記有価媒体情報取得部は、前記有価媒体情報として、前記投入口に投入された有価媒体の数量に関する情報を取得し、
前記制御部は、前記有価媒体情報取得部により取得された有価媒体の数量に関する情報に基づき、前記投入口に投入された有価媒体の数量が所定の閾値以上であった場合に、前記所定の条件が成立したと判定することを特徴とする請求項２に記載の有価媒体処理装置。
【請求項４】
前記有価媒体情報取得部は、前記有価媒体情報として、前記投入口に投入された各有価媒体の種別を示す種別情報を取得する種別情報取得部を備え、
前記制御部は、前記種別情報取得部により取得された種別情報が単一の種別を示すものであった場合に、前記所定の条件が成立したと判定することを特徴とする請求項２に記載の有価媒体処理装置。
【請求項５】
前記有価媒体情報取得部は、前記有価媒体情報として、有価媒体の形状または大きさを示す情報を取得し、
前記制御部は、取得された有価媒体の形状または大きさを示す情報に、特定形状又は特定の大きさの有価媒体を示す情報が含まれていなかった場合、前記所定の条件が成立したと判定することを特徴とする請求項２に記載の有価媒体処理装置。
【請求項６】
前記収納部に収納可能な有価媒体数を検知する収納可能数検知部を備え、
前記制御部は、収納可能数検知部により検知された収納可能な有価媒体数が所定数以上であった場合に、前記所定の条件が成立したと判定することを特徴とする請求項１に記載の有価媒体処理装置。
【請求項７】
前記投入口に有価媒体を投入するユーザを識別するユーザ識別部を備え、
前記制御部は、前記ユーザ識別部により識別されたユーザが特定のユーザであった場合に、前記所定の条件が成立したと判定することを特徴とする請求項１に記載の有価媒体処理装置。
【請求項８】
前記投入口に投入された有価媒体に関する有価媒体情報として、前記投入口に投入された有価媒体の数量に関する情報を取得する有価媒体情報取得部と、
前記投入口に投入する有価媒体の数量を入力する数量入力部と、
前記数量入力部により入力された数量と前記有価媒体情報取得部により取得された有価媒体の数量との誤差量を算出する誤差量算出部と、
前記誤差量算出部により検出された誤差量と、当該誤差量が生じた有価媒体を投入したユーザとを対応付けて記憶した誤差履歴記憶部と、
前記誤差履歴記憶部に記憶した情報に基づいて、前記ユーザ識別部により識別されたユーザの信頼度を判定する信頼度判定部とを備え、
前記制御部は、前記信頼度判定部により判定されたユーザの信頼度が所定の信頼度以上であった場合に、前記所定の条件が成立したと判定することを特徴とする請求項１に記載の有価媒体処理装置。
【請求項９】
前記投入口に投入された有価媒体に関する有価媒体情報として、前記投入口に投入された有価媒体の数量に関する情報を取得する有価媒体情報取得部と、
前記投入口に前記有価媒体を投入したユーザを識別するユーザ識別部と、
前記投入口に投入する有価媒体の種別、総額、総価値のうち少なくともいずれかに関する情報を入力する入力部と、
前記入力部により入力された情報と前記有価媒体情報取得部により取得された有価媒体に関する情報との誤差量を算出する誤差量算出部と、
前記誤差量算出部により算出された誤差量と、当該誤差量が生じた有価媒体を投入したユーザとを対応付けて記憶した誤差履歴記憶部と、
前記誤差履歴記憶部に記憶した情報に基づいて、前記ユーザ識別部により識別されたユーザの信頼度を判定する信頼度判定部とを備え、
前記制御部は、前記信頼度判定部により判定されたユーザの信頼度が所定の信頼度以上であった場合に、前記所定の条件が成立したと判定することを特徴とする請求項１に記載の有価媒体処理装置。
【請求項１０】
有価媒体の搬送経路の選択、決定タイミングを設定したタイムテーブルを備え、
前記制御部は、前記タイムテーブルに設定されている所定の時間帯の間、前記所定の条件が成立していると判定することを特徴とする請求項１に記載の有価媒体処理装置。
【請求項１１】
前記有価媒体情報取得部は、前記有価媒体情報として、前記投入口に投入された有価媒体の表裏を示す表裏情報を取得する表裏情報取得部を備え、
前記制御部は、前記表裏情報取得部により取得された前記表裏情報に基づいて、前記搬送部を制御して前記保留経路および前記非保留経路から搬送経路を選択、決定し、決定された経路を通じて有価媒体の搬送を行わせることを特徴とする請求項２に記載の有価媒体処理装置。
【請求項１２】
前記収納部における有価媒体の有無を検知する収納状態検知部を備え、
前記制御部は、前記収納状態検知部により前記収納部に有価媒体が無いことが検知された場合に、前記所定の条件が成立したと判定することを特徴とする請求項２に記載の有価媒体処理装置。
【請求項１３】
有価媒体の種類毎に設けられた複数の前記収納部を備え、
前記制御部は、
前記収納状態検知部により前記収納部に有価媒体が無いことが検知され、
前記投入口に投入された有価媒体の種類を示す情報が前記有価媒体情報取得部により取得され、
前記収納状態検知部により有価媒体が無いことが検知された前記収納部に対応する有価媒体の種類と、前記有価媒体情報取得部により取得された有価媒体の種類とが同一であった場合に、前記所定の条件が成立したと判定することを特徴とする請求項１２に記載の有価媒体処理装置。
【請求項１４】
前記投入口に投入された有価媒体に関する情報を取得する有価媒体情報取得部を備え、
前記制御部は、前記有価媒体情報取得部により取得された前記有価媒体情報に基づいて、前記所定の条件が成立したか否かを判定し、
前記制御部は、前記有価媒体情報取得部により取得された前記有価媒体情報に基づいて、前記所定の条件が成立したと判定した場合に、搬送部を制御して、前記保留経路を通じて有価媒体の搬送を行わせることを特徴とする請求項１に記載の有価媒体処理装置。
【請求項１５】
有価媒体処理装置による有価媒体処理方法であって、
投入口に投入された有価媒体に関する有価媒体情報を取得するステップと、
取得された前記有価媒体情報に基づいて、所定の条件が成立したか否かを判定するステップと、
前記所定の条件が成立したと判定された場合に、前記投入口に投入された有価媒体を収納部へ搬送する搬送部を制御して、前記投入口に投入された有価媒体を一時保留する前記一時保留部に保留した後に前記収納部へ搬送する保留経路、および前記投入口に投入された有価媒体を前記一時保留部に保留させることなく前記収納部へ搬送する非保留経路から搬送経路を選択、決定し、決定された経路を通じて有価媒体の搬送を行わせるステップと
を有することを特徴とする有価媒体処理方法。
【発明の詳細な説明】
【技術分野】
【０００１】
本発明は、有価媒体処理装置及び有価媒体処理方法に関するものであり、特に、投入された有価媒体を一時保留する一時保留部を備えた有価媒体処理装置及び同装置による有価媒体処理方法に関するものである。
【背景技術】
【０００２】
従来、入金された紙幣や硬貨等の有価媒体の識別及び計数を行った後、収納部に収納する有価媒体処理装置が広く知られている。この種の有価媒体処理装置として、たとえば、特許文献１には、入金口に投入された紙幣を識別した後、収納部に収納する前に一旦保留する一時保留部を備えた入出金機が開示されている。
【０００３】
このような一時保留部を備えた有価媒体処理装置は、入金処理を行う際、入金口に有価媒体が投入されると、投入された有価媒体を識別部へ搬送して各有価媒体の識別と集計を行い、その後、収納部へ収納する前に、一旦一時保留部へ搬送して一時保留する。
【０００４】
その後、有価媒体処理装置は、所定の表示部に集計結果を表示させて、ユーザに入金金額の確認を行わせ、ユーザが入金を承認する所定の操作を行った場合に、一時保留部に保留している有価媒体を収納部へ搬送して収納する。
【０００５】
このとき、ユーザが入金を拒否する所定の操作を行った場合、有価媒体処理装置は、一時保留部に保留している有価媒体をユーザへ返却する。
【０００６】
このように、一時保留部を備えた有価媒体処理装置では、ユーザが入金を承認する操作を行った場合に有価媒体を収納部へ収納し、ユーザが入金を拒否する操作を行った場合に、一時保留部に保留している有価媒体をそのままユーザへ返却するので、ユーザは、有価媒体の返却を受ける際に、ユーザ自身が投入した有価媒体の現物を受け取ることができ、取引に疑義が生じ難く、取引を厳正に行うことができる。
【０００７】
また、一時保留部を備えていない有価媒体処理装置では、投入された有価媒体を識別及び集計した後、直ちに収納部へ収納するため、有価媒体の返却を行う際には、収納部から有価媒体を一枚ずつ繰り出してユーザへ返却する必要があるが、一時保留部を備えた有価媒体処理装置では、有価媒体を返却する際に、収納部から一枚ずつ有価媒体を繰り出してユーザへ返却する必要がないので、一般的に一時保留部を持たない有価媒体処理装置に比べて、迅速に有価媒体の返却を行うことができる。
【先行技術文献】
【特許文献】
【０００８】
【特許文献１】特開２００４−１４５６００号公報
【発明の概要】
【発明が解決しようとする課題】
【０００９】
しかしながら、上記一時保留部を備えた有価媒体処理装置は、ユーザが入金処理を拒否せずに承認する操作を行った場合、投入した有価媒体を一時保留部へ搬送して一時的に保留する分、一時保留部を備えない有価媒体処理装置と比べて、有価媒体の投入から有価媒体が収納部に収納されるまでに余分な時間がかかるという問題があった。
【課題を解決するための手段】
【００１０】
上述した課題を解決し、目的を達成するため、本発明に係る有価媒体処理装置は、少なくとも一つの有価媒体が投入される投入口と、前記少なくとも一つの有価媒体を一時保留する一時保留部と、有価媒体を収納する収納部と、前記投入口に投入された有価媒体を前記一時保留部に保留した後に前記収納部へ搬送する保留経路と前記投入口に投入された有価媒体を前記一時保留部に保留させることなく前記収納部へ搬送する非保留経路とを備えた搬送部と、所定の条件が成立した場合に、前記搬送部を制御して前記保留経路および前記非保留経路から搬送経路を選択、決定し、決定された経路を通じて有価媒体の搬送を行わせる制御部とを有することとした。
【００１１】
また、上記の有価媒体処理装置において、前記投入口に投入された有価媒体に関する有価媒体情報を取得する有価媒体情報取得部を備え、前記制御部は、前記有価媒体情報取得部により取得された前記有価媒体情報に基づいて、前記所定の条件が成立したと判定した場合に、搬送部を制御して、前記非保留経路を通じて有価媒体の搬送を行わせることとした。
【００１２】
また、上記の有価媒体処理装置において、前記有価媒体情報取得部は、前記有価媒体情報として、前記投入口に投入された有価媒体の数量に関する情報を取得し、前記制御部は、前記有価媒体情報取得部により取得された有価媒体の数量に関する情報に基づき、前記投入口に投入された有価媒体の数量が所定の閾値以上であった場合に、前記所定の条件が成立したと判定することとした。
【００１３】
また、上記の有価媒体処理装置において、前記有価媒体情報取得部は、前記有価媒体情報として、前記投入口に投入された各有価媒体の種別を示す種別情報を取得する種別情報取得部を備え、前記制御部は、前記種別情報取得部により取得された種別情報が単一の種別を示すものであった場合に、前記所定の条件が成立したと判定することとした。
【００１４】
また、上記の有価媒体処理装置において、前記有価媒体情報取得部は、前記有価媒体情報として、有価媒体の形状または大きさを示す情報を取得し、前記制御部は、取得された有価媒体の形状または大きさを示す情報に、特定形状又は特定の大きさの有価媒体を示す情報が含まれていなかった場合、前記所定の条件が成立したと判定することとした。
【００１５】
また、上記の有価媒体処理装置において、前記収納部に収納可能な有価媒体数を検知する収納可能数検知部を備え、前記制御部は、収納可能数検知部により検知された収納可能な有価媒体数が所定数以上であった場合に、前記所定の条件が成立したと判定することとした。
【００１６】
また、上記の有価媒体処理装置において、前記投入口に有価媒体を投入するユーザを識別するユーザ識別部を備え、前記制御部は、前記ユーザ識別部により識別されたユーザが特定のユーザであった場合に、前記所定の条件が成立したと判定することとした。
【００１７】
また、上記の有価媒体処理装置は、前記投入口に投入された有価媒体に関する有価媒体情報として、前記投入口に投入された有価媒体の数量に関する情報を取得する有価媒体情報取得部と、前記投入口に投入する有価媒体の数量を入力する数量入力部と、前記数量入力部により入力された数量と前記有価媒体情報取得部により取得された有価媒体の数量との誤差量を算出する誤差量算出部と、前記誤差量算出部により検出された誤差量と、当該誤差量が生じた有価媒体を投入したユーザとを対応付けて記憶した誤差履歴記憶部と、前記誤差履歴記憶部に記憶した情報に基づいて、前記ユーザ識別部により識別されたユーザの信頼度を判定する信頼度判定部とを備え、前記制御部は、前記信頼度判定部により判定されたユーザの信頼度が所定の信頼度以上であった場合に、前記所定の条件が成立したと判定することとした。
【００１８】
また、上記の有価媒体処理装置は、前記投入口に投入された有価媒体に関する有価媒体情報として、前記投入口に投入された有価媒体の数量に関する情報を取得する有価媒体情報取得部と、前記投入口に前記有価媒体を投入したユーザを識別するユーザ識別部と、前記投入口に投入する有価媒体の種別、総額、総価値のうち少なくともいずれかに関する情報を入力する入力部と、前記入力部により入力された情報と前記有価媒体情報取得部により取得された有価媒体に関する情報との誤差量を算出する誤差量算出部と、前記誤差量算出部により算出された誤差量と、当該誤差量が生じた有価媒体を投入したユーザとを対応付けて記憶した誤差履歴記憶部と、前記誤差履歴記憶部に記憶した情報に基づいて、前記ユーザ識別部により識別されたユーザの信頼度を判定する信頼度判定部とを備え、前記制御部は、前記信頼度判定部により判定されたユーザの信頼度が所定の信頼度以上であった場合に、前記所定の条件が成立したと判定することとした。
【００１９】
また、上記の有価媒体処理装置は、有価媒体の搬送経路の選択、決定タイミングを設定したタイムテーブルを備え、前記制御部は、前記タイムテーブルに設定されている所定の時間帯の間、前記所定の条件が成立していると判定することとした。
【００２０】
また、上記の有価媒体処理装置は、前記有価媒体情報として、前記投入口に投入された有価媒体の表裏を示す表裏情報を取得する表裏情報取得部を備え、前記制御部は、前記表裏情報取得部により取得された前記表裏情報に基づいて、前記搬送部を制御して前記保留経路および前記非保留経路から搬送経路を選択、決定し、決定された経路を通じて有価媒体の搬送を行わせることとした。
【００２１】
また、上記の有価媒体処理装置は、前記収納部における有価媒体の有無を検知する収納状態検知部を備え、前記制御部は、前記収納状態検知部により前記収納部に有価媒体が無いことが検知された場合に、前記所定の条件が成立したと判定することとした。
【００２２】
また、上記の有価媒体処理装置において、有価媒体の種類毎に設けられた複数の前記収納部を備え、前記制御部は、前記収納状態検知部により少なくとも一つの前記収納部に有価媒体が無いことが検知され、前記投入口に投入された有価媒体の種類を示す情報が前記有価媒体情報取得部により取得され、前記収納状態検知部により有価媒体が無いことが検知された前記収納部に対応する有価媒体の種類と、前記有価媒体情報取得部により取得された有価媒体の種類とが同一であった場合に、前記所定の条件が成立したと判定するとした。
【００２３】
また、上記の有価媒体処理装置は、前記投入口に投入された有価媒体に関する情報を取得する有価媒体情報取得部を備え、前記制御部は、前記有価媒体情報取得部により取得された前記有価媒体情報に基づいて、前記所定の条件が成立したと判定した場合に、搬送部を制御して、前記保留経路を通じて有価媒体の搬送を行わせることとした。
【００２４】
また、本発明に係る有価媒体処理装置による有価媒体処理方法であって、投入口に投入された有価媒体に関する有価媒体情報を取得するステップと、取得された前記有価媒体情報に基づいて、所定の条件が成立したか否かを判定するステップと、前記所定の条件が成立したと判定された場合に、前記投入口に投入された有価媒体を収納部へ搬送する搬送部を制御して、前記投入口に投入された有価媒体を一時保留する前記一時保留部に保留した後に前記収納部へ搬送する保留経路、および前記投入口に投入された有価媒体を前記一時保留部に保留させることなく前記収納部へ搬送する非保留経路から搬送経路を選択、決定し、決定された経路を通じて有価媒体の搬送を行わせるステップとを有する有価媒体処理方法を提供することとした。
【発明の効果】
【００２５】
本発明によれば、投入口に投入した貨幣が一時保留部に保留されることなく、収納部へ収納されて入金処理が完了するので、貨幣が一時保留部に一時保留される場合に比べて入金処理が迅速化され、利便性が向上するという効果を奏する。
【図面の簡単な説明】
【００２６】
【図１】図１は、本実施形態に係る入出金機の外観を示す斜視図である。
【図２】図２は、本実施形態に係る処理機の内部を示す断面説明図である。
【図３】図３は、本実施形態の入出金機の構成を示す機能ブロック図である。
【図４】図４は、本実施形態に係る誤差履歴テーブルの一例を示す説明図である。
【図５】図５は、本実施形態に係るユーザ情報テーブルの一例を示す説明図である。
【図６】図６は、本実施形態に係るタイムテーブルの一例を示す説明図である。
【図７】図７は、本実施形態に係る動作履歴テーブルの一例を示す説明図である。
【図８】図８は、本実施形態に係る入出金機の制御部で実行される処理を示すフローチャートである。
【図９】図９は、本実施形態に係る入出金機の制御部で実行される処理を示すフローチャートである。
【図１０】図１０は、本実施形態に係る入出金機の制御部で実行される処理を示すフローチャートである。
【図１１】図１１は、本実施形態に係る入出金機の変形例を示す説明図である。
【図１２】図１２は、本実施形態に係る入出金機の変形例を示す説明図である。
【発明を実施するための形態】
【００２７】
以下に、添付図面を参照して、本発明に係る有価媒体処理装置の好適な実施形態を詳細に説明する。本実施形態では、貨幣の入金処理及び出金処理を行う入出金機に対して本発明を適用した場合を例に挙げて説明するが、本発明は、貨幣に限らず商品券やクーポン券等の任意の有価媒体を受付けて、識別処理及び集計処理を行う他の有価媒体処理装置に対して適用することができるものである。
【００２８】
図１は、本実施形態に係る入出金機の外観を示す斜視図である。図１に示す入出金機は、金融機関の店舗のロビー、窓口、出納室、その他、百貨店やスーパーマーケット等の店舗の出納室等に設置されるものであり、その店舗の顧客、従業員、出納責任者等（以下、「ユーザ」という。）の操作により貨幣の入金処理や出金処理等を行う装置である。
【００２９】
この入出金機は、図１に示すように、外部から投入される貨幣を内部へ取込んで、その貨幣の識別及び計数を行い、その後、貨幣を内部の金種別収納部４５（図２参照。）に収納する入金処理や、内部に収納している貨幣を外部へ払出す出金処理等の貨幣に関する複数種類の処理を行う処理機１と、この処理機１の動作制御を行うターミナル２とを備えている。
【００３０】
ターミナル２は、当該入出金機全体の動作を統括制御する後述の制御部７０（図３参照。）等が収納されている本体１０と、ユーザに対して、処理機１で実行する各種処理内容や、各処理を実行させるための操作手順等、貨幣に関する各種処理内容に応じた案内情報を表示すると共に、ユーザが表示中の案内情報上の所定位置を指で触れることによって、処理機１に入金処理や出金処理等の各種処理を実行させるタッチパネル機能を有する表示操作部１１とを備えている。なお、タッチパネル機能を備えた表示操作部１１に代えて、タッチパネル機能のない表示部と、ユーザが操作するキーボード等の操作部とを設ける構成としてもよい。
【００３１】
また、ターミナル２における本体１０の前面には、各ユーザが入出金機を利用する際に、各ユーザを当該入出金機に識別させるための識別情報（以下、「ユーザ識別情報」という。）が記録されたＩＤカードを挿入するユーザ情報受付部１２を備えている。
【００３２】
処理機１は、箱型の筐体１４の上部に設けられた上部ユニット１５と、筐体１４の内部に設けられた後述の下部ユニット１６（図２参照）とを備えている。
【００３３】
上部ユニット１５は、上面側にユーザが入金作業を行う際に貨幣を投入する投入口を有する入金部４１と、ユーザが出金作業を行う際に貨幣が払出される出金口を有する出金部４２とを備えており、前面側に入金部４１に投入された貨幣を一時的に保留する一時保留部４３（図２参照）を開閉するシャッタ４３ａを備えている。
【００３４】
なお、図１中の符号２８は、筐体１４の前面側に設けられた扉であり、符号２９は、扉の施錠及び開錠を行うための扉開閉用レバーである。下部ユニット１６は、この扉を開放して外部へ引き出し可能に構成されている。
【００３５】
ここで、図２を参照して、上部ユニット１５及び下部ユニット１６の内部構造について説明する。図２は、処理機１の内部を示す断面説明図である。
【００３６】
図２に示すように、処理機１は、上部ユニット１５と下部ユニット１６とを備えており、上部ユニット１５は、入金部４１、出金部４２、一時保留部４３、搬送部４６、識別部５０、環境状態検知部４７を備えている。また、下部ユニット１６は、リジェクト部４４と、複数の金種別収納部４５とを備えている。なお、ここでは、図示を省略しているが、この処理機１は、ターミナル２との間で各種情報の送受信を行う通信部４０（図３参照）を備えている。
【００３７】
入金部４１は、上部ユニット１５の上面側に開口したボックスと、このボックスの上部開口を開閉するシャッタとを備えている。このシャッタは通常閉鎖状態となっており、ユーザが入金のための操作（以下、「入金操作」という。）を行うと開放状態となって、ボックス内へ貨幣を投入することができるように構成している。
【００３８】
また、この入金部４１は、ボックスの内部に紙幣が投入されたことを検知する紙幣検知部４１ａと、ボックスの内部に硬貨が投入されたことを検知する硬貨検知部４１ｂと、ボックスの内部に投入された貨幣の数量を検知する数量検知部４１ｃとを備えている。これら紙幣検知部４１ａ、硬貨検知部４１ｂ、数量検知部４１ｃは、それぞれの検知結果をターミナル２へ送信する。また、この入金部４１に投入された貨幣は、搬送部４６によって処理機１の内部へ搬送される。
【００３９】
なお、本実施形態では、一つの入金部４１で紙幣と硬貨とを受付けるように構成しているが、紙幣用の入金部４１と硬貨用の入金部４１とをそれぞれ別個に設ける構成としてもよい。かかる構成とした場合、紙幣用の入金部４１に紙幣検知部４１ａと数量検知部４１ｃを設け、硬貨用の入金部４１に硬貨検知部４１ｂと数量検知部４１ｃとを設ける。
【００４０】
出金部４２は、入金部４１よりも処理機１の前部側に設けられ、上部ユニット１５の上面側に開口したボックスと、このボックスの上部開口を開閉するシャッタとを備えている。このシャッタは、通常閉鎖状態となっており、ユーザが出金のための操作（以下、「出金操作」という。）を行って、貨幣が搬送部４６によって搬送されてきた場合に開放状態となって、ユーザがボックスから貨幣を取り出すことができるように構成している。
【００４１】
一時保留部４３は、上部ユニット１５の前面側に設けられており、上部ユニット１５の前面側に開口したボックスと、このボックスの前面開口を開閉するシャッタ４３ａとを備えている。このシャッタ４３ａは、通常閉鎖状態となっており、ユーザが返金のための操作を行うと開放状態となって、ユーザが投入した貨幣の現物をボックスから取り出すことができるように構成している。
【００４２】
この一時保留部４３は、入金部４１に投入された入金用の貨幣を、金種別収納部４５へ収納する前に一時的に保留する他、金種別収納部４５から搬送されてきた出金用の貨幣を出金部４２へ搬送する前に一時的に保留する。
【００４３】
識別部５０は、搬送部４６により搬送されてきた貨幣の真偽、正損、貨幣の属する国、金種、形状、大きさ、厚み等を一枚ずつ識別し、その識別結果をターミナル２へ送信する。また、リジェクト部４４は、識別部５０によって取扱い不可能と識別された貨幣等を収納するボックスを備えている。
【００４４】
金種別収納部４５は、入金部４１へ投入された貨幣や、後に出金するための出金用の貨幣を収納するスタッカと呼ばれるボックスを備えており、各金種毎にそれぞれ設けられる。なお、本実施形態では、各金種毎にそれぞれ金種別収納部４５を設けているが、貨幣を収納する収納部は、これに限定するものではなく、複数種類の貨幣を混合した状態で収納する金種混合型収納部により構成してもよい。
【００４５】
また、各金種別収納部４５は、現時点でスタッカに収納可能な貨幣の枚数及びスタッカ内における貨幣の有無を検知する収納可能数検知部４５ａを備えている。この収納可能数検知部４５ａは、スタッカ内部の貨幣の数量が変化する度に、そのときの検知結果をターミナル２へ送信する。
【００４６】
搬送部４６は、たとえば、貨幣を表裏両側から挟持して一枚ずつ搬送する一対のベルトからなるベルトコンベアを備えており、入金部４１、出金部４２、一時保留部４３、リジェクト部４４、金種別収納部４５、識別部５０の間で貨幣の搬送を行う。
【００４７】
この搬送部４６は、貨幣の搬送経路の途中に複数の分岐点Ａ、Ｂ、Ｃ、Ｄ、Ｅ、Ｆ、Ｇを備えており、ターミナル２による搬送制御に従って、貨幣の搬送経路を切り替えることができるように構成している。
【００４８】
特に、この搬送部４６は、当該入出金機の動作状態や動作環境等の様々な条件に基づいて、ターミナル２が備える後述の制御部７０により所定の条件が成立したと判定された場合に、入金部４１に投入された貨幣を一時保留部４３に保留した後に金種別収納部４５へ搬送する保留経路と、入金部４１に投入された貨幣を一時保留部４３に保留させることなく金種別収納部４５へ搬送する非保留経路とから貨幣の搬送経路を選択して決定し、決定された搬送経路により貨幣の搬送を行うように構成している。
【００４９】
そして、この搬送部４６は、入金処理において保留経路による貨幣の搬送を行う場合、入金部４１、分岐点Ｄ、識別部５０、分岐点Ｅ、Ｃ、Ｂ、Ａ、一時保留部４３の順に貨幣を搬送して、貨幣を一時保留部４３に一時保留させる。
【００５０】
その後、搬送部４６は、ユーザにより入金を承認する操作が行われると、一時保留部４３、分岐点Ａ、Ｂ、Ｃ、Ｄ、Ｅ、Ｆ、金種別収納部４５の順に貨幣を搬送して、貨幣を金種別収納部４５に収納させる。
【００５１】
一方、搬送部４６は、入金処理において非保留経路による貨幣の搬送を行う場合、入金部４１、分岐点Ｄ、識別部５０、分岐点Ｅ、Ｆ、金種別収納部４５の順に貨幣を搬送する。
【００５２】
本実施形態では、搬送部４６がターミナル２の制御に従って保留経路と非保留経路とを自動的に切り替えて入金処理を行うように構成しているが、搬送部４６が出金処理の際に、ターミナル２の制御に従って保留経路と非保留経路とを自動的に切り替えて貨幣の搬送を行うように構成してもよい。
【００５３】
かかる構成とした場合、この搬送部４６は、保留経路による貨幣の搬送を行う際に、金種別収納部４５、分岐点Ｆ、Ｅ、識別部５０、分岐点Ｄ、Ｃ、Ｂ、Ａ、一時保留部４３の順に貨幣を搬送して、貨幣を一時保留部４３に一時保留させる。
【００５４】
その後、搬送部４６は、出金用の貨幣が全て一時保留部４３に収納された後に、一時保留部４３、分岐点Ａ、出金部４２の順に貨幣を搬送して、貨幣を出金する。
【００５５】
一方、搬送部４６は、非保留経路による貨幣の搬送を行う際に、金種別収納部４５、分岐点Ｆ、Ｅ、識別部５０、分岐点Ｄ、Ｃ、Ｂ、Ａ、出金部４２の順に貨幣を搬送して、貨幣を出金する。
【００５６】
環境状態検知部４７は、上部ユニット１５内部に設けられ、特に搬送部４６近傍の温度及び湿度を検知し、その検知結果を所定のタイミングでターミナル２へ送信する。
【００５７】
ここで、図３を参照して、処理機１及びターミナル２の構成及びその機能について、さらに詳細に説明する。図３は、入出金機の構成を示す機能ブロック図である。図３に示すように、本実施形態に係る入出金機は、処理機１とターミナル２とを備えている。
【００５８】
処理機１は、前述したように、入金部４１、出金部４２、一時保留部４３、リジェクト部４４、金種別収納部４５、搬送部４６、環境状態検知部４７、識別部５０、通信部４０を備えている。
【００５９】
入金部４１は、入金処理の際にユーザから投入された貨幣を一枚ずつ搬送部４６側へ繰り出すホッパを有しており、投入された貨幣を入出金機の内部へ取り込む機能を備えている。
【００６０】
また、この入金部４１は、紙幣検知部４１ａ、硬貨検知部４１ｂ、数量検知部４１ｃを備えている。そして、紙幣検知部４１ａは、入金部４１に紙幣が投入されたことを検知すると、その旨を示す信号を通信部４０を介してターミナル２へ送信する。硬貨検知部４１ｂも同様に、入金部４１へ硬貨が投入されたことを検知すると、その旨を示す信号を通信部４０を介してターミナル２へ送信する。
【００６１】
また、数量検知部４１ｃは、入金部４１に投入された紙幣及び硬貨の枚数が予め設定された所定の数量を超えていた場合に、その旨を示す信号を通信部４０を介してターミナル２へ送信する。
【００６２】
この数量検知部４１ｃは、入金部４１に投入された紙幣及び硬貨のボリュームが所定のボリュームを超えた場合に、その旨を示す信号を通信部４０を介してターミナル２へ送信する。このとき、数量検知部４１ｃは、入金部４１に投入され、入金部４１の内部に積み上げられた貨幣の高さが所定の高さを超えた場合、または、入金部４１に投入された貨幣の重さが所定の重さを超えた場合に、紙幣又は硬貨のボリュームが所定のボリュームを超えたと判定して、その旨を示す信号を通信部４０を介してターミナル２へ送信する。
【００６３】
出金部４２は、出金処理の際に、金種別収納部４５から搬送されてきた出金用の貨幣を受付ける機能を備えており、一時保留部４３は、入金部４１から搬送されてきた貨幣、または、金種別収納部４５から搬送されてきた貨幣を一時的に保留する機能を備えている。
【００６４】
また、識別部５０は、搬送部４６により搬送されてきた貨幣の真偽、正損、貨幣の属する国、金種、形状等を一枚ずつ識別する機能を備えており、その識別結果を通信部４０を介してターミナル２へ送信する。また、リジェクト部４４は、識別部５０によって偽造貨幣や損貨幣、当該処理機１で取扱い不可能な有価媒体等と識別された貨幣等を収納する機能を備えている。
【００６５】
金種別収納部４５は、入金部４１へ投入された貨幣や、後に出金するための出金用の貨幣を収納する機能を備えている。また、各金種別収納部４５は、収納可能数検知４５ａを備えており、この収納可能数検知部４５ａは、スタッカ内部の貨幣の数量が変化する度に、そのときの検知結果を通信部４０を介してターミナル２へ送信する。
【００６６】
環境状態検知部４７は、搬送部４６近傍の湿度または温度が予め設定された所定の範囲外になった場合に、その旨を示す信号を通信部４０を介してターミナル２へ送信する機能を備えている。
【００６７】
通信部４０は、ターミナル２が備える通信部１３との間で各種信号を送受信するインターフェースである。
【００６８】
また、ターミナル２は、通信部１３、制御部７０、表示操作部１１、ユーザ情報受付部１２、記憶部１４を備えている。
【００６９】
表示操作部１１は、タッチパネル型の表示装置であり、ユーザに対して、処理機１で実行する各種処理内容や、各処理を実行させるための操作手順等、貨幣に関する各種処理内容に応じた案内情報を表示すると共に、ユーザが表示中の案内情報上の所定位置を指で触れることによって、処理機１に入金処理や出金処理等の各種処理を実行させる機能を備えている。
【００７０】
この表示操作部１１は、制御部７０による表示制御に従って、各種案内情報の表示を行うと共に、ユーザの操作に応じた信号を制御部７０へ出力する。
【００７１】
ユーザ情報受付部１２は、カードリーダにより構成しており、ユーザ識別情報が記録されたＩＤカードを受付け、受付けたＩＤカードからユーザ識別情報を読取って制御部７０へ出力する機能を備えている。
【００７２】
通信部１３は、処理機１が備える通信部４０との間で各種信号を送受信するインターフェースである。
【００７３】
記憶部１４は、入出金機で実行した入金処理や出金処理に関する各種履歴情報、表示操作部１１に表示する画像情報等の各種情報を記憶する書き換え可能な不揮発性メモリ等により構成している。
【００７４】
特に、本実施形態では、この記憶部１４の内部を誤差履歴記憶部１４ａ、ユーザ情報記憶部１４ｂ、タイムテーブル記憶部１４ｃ、動作履歴記憶部１４ｄという複数の記憶領域に分割している。
【００７５】
これら誤差履歴記憶部１４ａ、ユーザ情報記憶部１４ｂ、タイムテーブル記憶部１４ｃ、動作履歴記憶部１４ｄには、制御部７０が貨幣の搬送経路を保留経路から非保留経路へ、又は非保留経路から保留経路へ切り替えるか否かを決定する際に参照する各種テーブルが記憶されている。
【００７６】
ここで、図４〜図７を参照して、記憶部１４に記憶されている各種テーブルについて説明する。図４は、誤差履歴テーブルの一例を示す説明図であり、図５は、ユーザ情報テーブルの一例を示す説明図であり、図６は、タイムテーブルの一例を示す説明図であり、図７は、動作履歴テーブルの一例を示す説明図である。
【００７７】
誤差履歴記憶部１４ａには、図４に示す誤差履歴テーブルが記憶されている。図４に示すように、この誤差履歴テーブルには、各ユーザのユーザ識別情報と、そのユーザ識別情報に対応するユーザが入金処理を行った日付と、その日の入金処理の際にユーザが入力した入金金額と、そのときの制御部７０による貨幣の計数結果との誤差量とをそれぞれ対応付けて記憶している。
【００７８】
すなわち、この誤差履歴テーブルには、各ユーザの入金処理における入力金額と集計金額との誤差履歴情報が記憶されている。図４では、誤差履歴情報の一例として、ユーザ識別情報が０００１〜０００３のユーザがＸ月１日以降に行った入金処理に関する誤差履歴情報を示している。
【００７９】
また、ユーザ情報記憶部１４ｂには、図５に示すユーザ情報テーブルが記憶されている。図５に示すように、このユーザ情報テーブルには、当該入出金機を利用する多数のユーザのユーザ識別情報と、その種別とをそれぞれ対応付けて記憶している。ここで、種別「１」は、入出金機を設置している店舗の責任者や入出金機の管理責任者等の特定のユーザを示しており、種別「０」は、店舗における一般のユーザを示している。
【００８０】
すなわち、このユーザ情報テーブルには、各ユーザがそれぞれ特定のユーザであるのか、それとも一般のユーザであるのかが記憶されている。図５では、一例として、ユーザ識別情報が０００１〜０００３に対応するユーザが特定のユーザであり、ユーザ識別情報が０００４以降に対応するユーザが一般のユーザである場合のユーザ情報テーブルを示している。
【００８１】
また、タイムテーブル記憶部１４ｃには、図６に示すタイムテーブルが記憶されている。図６に示すように、このタイムテーブルには、当該入出金機を設置している店舗の各営業日を午前と午後とに分け、その時間帯が繁忙期か否か、また、その時間帯に責任者が在席中か否か、その時間帯が有人運用中か否かを示す情報として、それぞれ各営業日及び各時間帯毎に「０」と「1」とが記憶されている。
【００８２】
本実施形態では、繁忙期を示す情報として「１」、閑散期を示す情報として「０」をタイムテーブルに記憶させている。また、責任者が在席していることを示す情報として「１」、責任者が不在であることを示す情報として「０」、有人運用時であることを示す情報として「１」、無人運用時であることを示す情報として「０」をタイムテーブルに記憶させる。なお、有人運用とは、入出金機専任の担当者が他のユーザが持参した貨幣をそのユーザに代わって入出金機に入金する運用のことであり、無人運用とは、各ユーザが持参した貨幣をユーザ自身で入出金機に入金する運用のことである。
【００８３】
このタイムテーブルは、所定の担当者が月初めや年度初めに手入力によって設定しておくように構成してもよく、通信ネットワークを介してターミナル２に接続した所定のサーバ装置等から遠隔的に設定するように構成してもよい。
【００８４】
また、動作履歴記憶部１４ｄには、図７に示す動作履歴テーブルが記憶されている。図７に示すように、この動作履歴テーブルには、所定時間内に搬送部４６が何らかのトラブルにより貨幣の搬送を停止した回数の履歴が記憶されている。
【００８５】
制御部７０は、当該入出金機全体の動作を統括制御する機能を備えており、ＣＰＵ（Central Processing Unit）とＲＯＭ（Read Only Memory）とＲＡＭ（Random Access Memory）とを備えた情報処理装置により構成している。
【００８６】
そして、この制御部７０は、ＣＰＵがＲＯＭに記憶している所定のプログラムを読み出し、ＲＡＭを作業領域として使用して実行することにより起動する表示制御部７１、操作判定部７２、搬送制御部７３、ユーザ識別判定部７４、信頼度判定部７５、誤差量算出部７６、条件判定部７７、有価媒体情報取得部７８等を備えている。
【００８７】
これら、表示制御部７１、操作判定部７２、搬送制御部７３、ユーザ識別判定部７４、信頼度判定部７５、誤差量算出部７６、条件判定部７７、有価媒体情報取得部７８等はそれぞれ通信用のバスを介して通信部１３と接続されている。
【００８８】
表示制御部７１は、記憶部１４から入出金機の動作状態に応じた各種画像情報を読み出して表示操作部１１に表示させる処理部である。
【００８９】
操作判定部７２は、ユーザによる表示操作部１１の操作を検出して判定し、その操作に対応した制御信号を搬送制御部７３へ送信する。この制御信号を受信すると搬送制御部７３は、受信した制御信号に対応した指令コマンドを通信部１３と処理機１の通信部４０とを介して処理機１の搬送部４６へ送信することにより、搬送部４６等を動作させて、処理機１に入金処理や出金処理等の各種処理を実行させる。
【００９０】
特に、本実施形態において、この操作判定部７２は、ユーザがこれから入金する貨幣の金額を入力して指定した後に入金操作を行ったことを検出した場合に、その旨を示す信号を条件判定部７７へ出力する。
【００９１】
この信号を受信すると、条件判定部７７は、所定の条件が成立したと判定して、貨幣の搬送経路として非保留経路を選択して設定する。このように設定されると、搬送制御部７３は、搬送部４６を駆動させる際に、非保留経路により貨幣の搬送を行わせる指令コマンドをターミナル２の通信部１３及び処理機１の通信部４０通じて搬送部４６へ送信する。なお、条件判定部７７は、ユーザが入金金額の指定を行わずに入金操作を行った場合、貨幣の搬送経路として保留経路を選択して設定するように構成してもよい。
【００９２】
これにより、予めこれから入金する金額が分かっていて、集計結果が出た後に返金操作を行う可能性の低いユーザにとっては、処理機１に投入した貨幣が一時保留部４３に一時保留されることなく、金種別収納部４５へ収納されて入金処理が完了するので、貨幣が一時保留部４３に一時保留される場合に比べて入金処理が迅速化され、利便性が向上する。
【００９３】
なお、本実施形態では、入金金額が指定されてから入金操作がなされた場合に、貨幣の搬送経路として非保留経路を選択して設定しているが、入金金額が指定されずに入金操作がなされた場合に、貨幣の搬送経路として非保留経路を選択して設定してもよい。このように設定した場合には、取引の厳正化よりも処理の迅速化を重視して入金金額の指定を行わずに入金処理を実行させるユーザにとって、貨幣が一時保留部４３に一時保留される場合に比べて入金処理が迅速化され、利便性が向上する。
【００９４】
また、この操作判定部７２は、ユーザが通常の入金処理ではなく、金種別収納部４５への貨幣の補充を目的とした入金操作を検出した場合に、その旨を示す信号を条件判定部７７へ出力する。
【００９５】
この信号を受信すると、条件判定部７７は、所定の条件が成立したと判定して、貨幣の搬送経路として非保留経路を選択して設定する。このように設定されると、搬送制御部７３は、搬送部４６を駆動させる際に、非保留経路により貨幣の搬送を行わせる指令コマンドをターミナル２の通信部１３及び処理機１の通信部４０通じて搬送部４６へ送信する。なお、条件判定部７７は、ユーザが通常の入金処理を目的とした入金操作を行った場合、貨幣の搬送経路として保留経路を選択して設定するように構成してもよい。
【００９６】
これにより、予め計数済みで金額が確定している補充用の貨幣を入金するユーザにとっては、処理機１に投入した補充用の貨幣が一時保留部４３に一時保留されることなく、金種別収納部４５へ収納されて入金処理が完了するので、貨幣が一時保留部４３に一時保留される場合に比べて入金処理が迅速化され、利便性が向上する。
【００９７】
搬送制御部７３は、操作判定部７２により判定されたユーザの操作に対応した指令コマンドをターミナル２の通信部１３及び処理機１の通信部４０通じて処理機１の搬送部４６へ送信することによって、搬送部４６等の動作制御を行って処理機１に入金処理や出金処理等の各種処理を実行させる処理部である。
【００９８】
また、この搬送制御部７３は、条件判定部７７が、所定の条件が成立したと判定した場合に行う設定に従って、搬送部４６を駆動させる際に、非保留経路により貨幣の搬送を行わせる指令コマンドをターミナル２の通信部１３及び処理機１の通信部４０通じて搬送部４６へ送信する。
【００９９】
ユーザ識別判定部７４は、ユーザ情報受付部１２がユーザのＩＤカードから読取ったユーザ識別情報に基づいて、そのユーザが店舗の責任者や入出金機の管理責任者等の特定のユーザであるか否かを判定し、そのユーザが特定のユーザであった場合に、その旨を示す信号を条件判定部７７へ送信する。
【０１００】
この信号を受信すると条件判定部７７は、所定の条件が成立したと判定して、貨幣の搬送経路として非保留経路を選択して設定する。このように設定されると、搬送制御部７３は、搬送部４６を駆動させる際に、非保留経路により貨幣の搬送を行わせる指令コマンドをターミナル２の通信部１３及び処理機１の通信部４０通じて搬送部４６へ送信する。なお、条件判定部７７は、ユーザ識別判定部７４により、そのユーザが一般のユーザであると判定された場合、貨幣の搬送経路として保留経路を選択して設定するように構成してもよい。
【０１０１】
これにより、店舗の責任者や入出金機の管理責任者等のように取引の結果に責任を負えるユーザにとっては、処理機１に投入した貨幣が一時保留部４３に一時保留されることなく、金種別収納部４５へ収納されて入金処理が完了するので、貨幣が一時保留部４３に一時保留される場合に比べて入金処理が迅速化され、利便性が向上する。
【０１０２】
信頼度判定部７５は、ユーザ情報受付部１２がユーザのＩＤカードから読取ったユーザ識別情報に基づいて、記憶部１４内の誤差履歴記憶部１４ａに記憶している誤差履歴テーブル（図４参照）を参照し、そのユーザが過去に行った入金処理において生じた誤差金額から、そのユーザの信頼度を判定し、その判定結果を条件判定部７７へ送信する。
【０１０３】
このとき、信頼度判定部７５は、誤差金額の総額が低いユーザ程高い信頼度となるように、信頼度を判定する。なお、ここでの誤差金額の総額は、プラスの誤差とマイナスの誤差の絶対値との合計金額である。
【０１０４】
なお、信頼度の判定基準は、これに限定するものでななく、たとえば、誤差の発生回数が少ないユーザ程高い信頼度となるように信頼度を判定してもよい。また、誤差割合等で信頼度を判定してもよい。この場合、誤差割合＝誤差金額／売上金額又は回集金額という式により誤差割合を算出し、誤差割合の低いユーザ程高い信頼度となるように、信頼度を判定する。
【０１０５】
この信頼度の判定結果を受信すると、条件判定部７７は、受信した信頼度が所定の信頼度以上であるか否かを判断し、所定の信頼度以上であるとした場合に所定の条件が成立したと判定して、貨幣の搬送経路として非保留経路を選択して設定する。
【０１０６】
このように設定されると、搬送制御部７３は、搬送部４６を駆動させる際に、非保留経路により貨幣の搬送を行わせる指令コマンドをターミナル２の通信部１３及び処理機１の通信部４０通じて搬送部４６へ送信する。なお、条件判定部７７は、信頼度判定部７５から受信したユーザの信頼度が所定の信頼度未満であった場合、貨幣の搬送経路として保留経路を選択して設定するように構成してもよい。
【０１０７】
これにより、取引の厳正さについて信頼度の高いユーザにとっては、処理機１に投入した貨幣が一時保留部４３に一時保留されることなく、金種別収納部４５へ収納されて入金処理が完了するので、貨幣が一時保留部４３に一時保留される場合に比べて入金処理が迅速化され、利便性が向上する。
【０１０８】
誤差量算出部７６は、表示操作部１１によって入力された入金金額と、後述の数量取得部７８ａがターミナル２から取得した貨幣の集計結果である貨幣の数量とに基づいて、入金処理で生じた誤差量を算出する処理部である。この誤差量算出部７６は、算出した誤差量を記憶部１４内の誤差履歴記憶部１４ａに記憶している誤差履歴テーブル（図４参照）に格納する処理を行う。
【０１０９】
なお、本実施形態では、これから入金する金額を指定する際に、ユーザが表示操作部１１を操作して手入力により入金金額を指定するようにしているが、これ以外に、たとえば、所定の通信ネットワークを介して他の電子機器と通信可能となるようにターミナル２を構成し、他の電子機器からターミナル２へネットワークを介して入金金額に関する情報を送信して入金金額の指定を行ったり、ターミナル２にＩＣカードリーダ等の情報読み取り装置を設け、この情報読み取り装置に入金金額が記録された所定の電子媒体から入金額を読取らせることによって、入金金額の指定を行うようにしてもよい。
【０１１０】
有価媒体情報取得部７８は、処理機１の数量検知部４１ｃから送信される貨幣の検知結果、識別部５０から送信される貨幣の識別結果を受信して、入金部４１に投入された貨幣に関する複数種類の有価媒体情報を取得する処理を行う処理部であり、数量取得部７８ａと種別情報取得部７８ｂとを備えている。
【０１１１】
すなわち、この有価媒体情報取得部７８は、有価媒体情報として、入金部４１に投入された貨幣の数量を示す情報、貨幣の属する国の情報、貨幣の正損及び真偽を示す情報、貨幣の金種を示す情報、貨幣の形状や大きさを示す情報、貨幣の券種を示す情報、貨幣の表裏を示す情報、貨幣の搬送方向を示す情報等を取得する。
【０１１２】
数量取得部７８ａは、有価媒体情報として入金部４１に投入された有価媒体の数量を取得する処理部である。この数量取得部７８ａは、入金部４１に設けられた数量検知部４１ｃが、入金部４１に投入された紙幣及び硬貨の枚数が予め設定された所定の数量（閾値）以上であった場合にターミナル２へ送信する信号を受信すると、その信号を条件判定部７７へ送信する。
【０１１３】
なお、入金部４１の内部に積み上げられた貨幣の高さが所定の高さを超えた場合、または、入金部４１に投入された貨幣の重さが所定の重さを超えた場合に、数量検知部４１ｃがターミナル２へ送信する信号を受信すると、その信号を条件判定部７７へ送信するように数量取得部７８ａを構成してもよい。
【０１１４】
この信号を受信した場合に、条件判定部７７は、所定の条件が成立したと判定して、貨幣の搬送経路として非保留経路を選択して設定する。このように設定されると、搬送制御部７３は、搬送部４６を駆動させる際に、非保留経路により貨幣の搬送を行わせる指令コマンドをターミナル２の通信部１３及び処理機１の通信部４０通じて搬送部４６へ送信する。なお、条件判定部７７は、数量取得部７８ａから所定の信号を受信しなかった場合、貨幣の搬送経路として保留経路を選択して設定するように構成してもよい。
【０１１５】
このように、本実施形態の入出金機では、大量の貨幣を処理機１へ投入する場合のように、入金処理に比較的時間がかかることが予想される場合、投入された貨幣を識別及び計数した後、一時保留部４３へ一時保留することなく金種別収納部４５へ収納させるので、入金処理の迅速化を図ることができ、大量入金を行うユーザにとっての利便性が向上する。
【０１１６】
また、この数量取得部７８ａは、識別部５０が一枚ずつの各貨幣に対して実行した識別処理の回数に基づいて、入金部４１に投入された貨幣の数量を集計する処理を行い、その集計結果を記憶部１４内の所定領域に格納する処理も行う。
【０１１７】
種別情報取得部７８ｂは、入金部４１に投入された貨幣の種別を示す種別情報を取得する処理部である。この種別情報取得部７８ｂは、識別部５０による貨幣の識別処理の結果から、貨幣の属する国の情報（たとえば、各貨幣が円、ドル、ユーロのいずれに該当するかを示す情報）、貨幣の正損及び真偽を示す情報（たとえば、各貨幣の損傷度合いを示す情報）、貨幣の金種を示す情報（たとえば、各貨幣１枚の金額を示す情報）、貨幣の形状を示す情報（たとえば、各紙幣や各貨幣の平面視による外周の形状、貨幣の厚み）、貨幣の券種を示す情報（たとえば、貨幣が新紙幣（新硬貨）又は旧紙幣（旧硬貨）であることを示す情報）等の情報を種別情報として取得する。
【０１１８】
この種別情報取得部７８ｂは、取得した種別情報に基づいて、入金部４１に投入された貨幣が単国の貨幣（同一の国により発行された貨幣）であったか否かを判別し、その判別結果を条件判定部７７へ送信する。
【０１１９】
そして、条件判定部７７は、種別情報取得部７８ｂから受信した判別結果が単国の貨幣を示すものであった場合に所定の条件が成立したと判定して、貨幣の搬送経路として非保留経路を選択して設定する。なお、種別情報取得部７８ｂから受信した判別結果が複数国の貨幣が混在していることを示していた場合、貨幣の搬送経路として保留経路を選択して設定するように構成してもよい。
【０１２０】
このように、本実施形態の入出金機では、複数国の貨幣を処理する場合に比べて処理が簡単な単国の貨幣の入金処理を行う際に、投入された貨幣を識別及び計数した後、一時保留部４３へ一時保留することなく金種別収納部４５へ収納させるので、入金処理の迅速化を図ることができ、単国の貨幣を入金するユーザにとっての利便性が向上する。一方、複数国の貨幣を処理する場合には、単国の貨幣に比べて処理が複雑であり、エラーの発生頻度が高くなる可能性があるが、この場合、保留経路により貨幣の搬送を行えば、処理確定現金と処理未確定現金とを切り分けやすくなる。
【０１２１】
また、種別情報取得部７８ｂは、取得した種別情報に基づいて、入金部４１に投入された貨幣の金種が単一（たとえば、全て一万円札）であったか否かを判別し、その判別結果を条件判定部７７へ送信する。
【０１２２】
そして、条件判定部７７は、種別情報取得部７８ｂから受信した判別結果が単一の金種を示すものであった場合に所定の条件が成立したと判定して、貨幣の搬送経路として非保留経路を選択して設定する。一方、種別情報取得部７８ｂから受信した判別結果が金種混合（たとえば、一万円札、５千円札、千円札が混在した状態）を示していた場合、貨幣の搬送経路として保留経路を選択して設定する。
【０１２３】
このように、本実施形態の入出金機では、取引に疑義の生じにくい単一金種の貨幣の入金処理を行う際に、投入された貨幣を識別及び計数した後、一時保留部４３へ一時保留することなく金種別収納部４５へ収納させるので、入金処理の迅速化を図ることができ、単一金種の貨幣を入金するユーザにとっての利便性が向上する。
【０１２４】
また、種別情報取得部７８ｂは、取得した種別情報に基づいて、入金部４１に投入された貨幣に特定形状の貨幣（たとえば、多角形状の硬貨）が含まれていたか否かを判別し、その判別結果を条件判定部７７へ送信する。
【０１２５】
そして、条件判定部７７は、種別情報取得部７８ｂから受信した判別結果が特定形状または特定の形状の貨幣が含まれていなかったことを示していた場合に、所定の条件が成立したと判定して、貨幣の搬送経路として非保留経路を選択して設定する。なお、種別情報取得部７８ｂから受信した判別結果が特定形状または特定の大きさの貨幣が含まれていたことを示していた場合、貨幣の搬送経路として保留経路を選択して設定する構成にしてもよい。
【０１２６】
このように、本実施形態の入出金機では、投入された貨幣中に、一般的な形状または大きさの貨幣に比べて搬送や収納が困難な特定形状の貨幣が含まれていなかった場合、投入された貨幣を識別及び計数した後、一時保留部４３へ一時保留することなく金種別収納部４５へ収納させるので、入金処理の迅速化を図ることができる。
【０１２７】
一方、投入された貨幣中に、特定（特殊）形状または特定の大きさの貨幣が含まれていた場合、処理の難易度が高くなり、エラー発生の頻度が高くなる可能性も高くなるが、このような場合には、保留経路にて貨幣を搬送させるように設定すればよい。
【０１２８】
また、種別情報取得部７８ｂは、取得した種別情報に基づいて、入金部４１に投入された貨幣が正券且つ真券であるか否かを判別し、その判別結果を条件判定部７７へ送信する。
【０１２９】
そして、条件判定部７７は、種別情報取得部７８ｂから受信した判別結果が正券且つ真券であったことを示していた場合に所定の条件が成立したと判定して、貨幣の搬送経路として非保留経路を選択して設定する。一方、種別情報取得部７８ｂから受信した判別結果が損券、偽券の可能性が高い紙葉類を含んでいたことを示していた場合、処理が安定しない場合があるため、エラーの発生頻度が高くなる可能性があるが、この場合、これらの問題を回避するために貨幣の搬送経路として保留経路を選択して設定すればよい。なお、識別部５０により損券、偽券の可能性が高い紙葉類と判別された紙葉類は、その後リジェクト部４４へ収納される。
【０１３０】
このように、本実施形態の入出金機では、投入された貨幣が正券且つ真券であった場合、投入された貨幣を識別及び計数した後、一時保留部４３へ一時保留することなく金種別収納部４５へ収納させるので、入金処理の迅速化を図ることができる。
【０１３１】
条件判定部７７は、上記のように、操作判定部７２、ユーザ識別判定部７４、信頼度判定部７５、有価媒体情報取得部７８等から入力される所定の信号や判別結果に基づいて、所定の条件が成立したと判定した場合に、貨幣の搬送経路として非保留経路を選択して設定する処理部である。
【０１３２】
また、この条件判定部７７は、入金部４１の紙幣検知部４１ａ及び硬貨検知部４１ｂ、金種別収納部４５に設けられた収納可能数検知部４５ａ、上部ユニット１５に設けられた環境状態検知部４７等から送信される信号に基づいて、貨幣の搬送経路を非保留経路に切り替えるか否かを判定する。
【０１３３】
すなわち、条件判定部７７は、紙幣検知部４１ａ及び硬貨検知部４１ｂから受信した信号に基づいて、入金部４１に投入された貨幣が全て硬貨であったか否かを判別し、投入された貨幣が全て硬貨であったと判別した場合に、所定の条件が成立したと判定して、貨幣の搬送経路として非保留経路を選択して設定する。なお、投入された貨幣に紙幣と硬貨とが混在していた場合または紙幣のみの場合に、貨幣の搬送経路として保留経路を選択して設定するように構成してもよい。このとき、紙幣と硬貨とが混在している場合に、硬貨の搬送については非保留経路を選択し、紙幣の搬送については保留経路を選択してもよい。
【０１３４】
これにより、たとえば、投入する貨幣のみで比較的小額の入金であることから取引の厳正さよりも入金処理の迅速化を望むユーザにとっては、投入した貨幣が一時保留部４３に一時保留されることなく、金種別収納部４５へ収納されるので、入金処理が迅速化されて利便性が向上する。
【０１３５】
また、条件判定部７７は、収納可能数検知部４５ａから受信した信号に基づいて、金種別収納部４５における貨幣の収納可能数が所定数（たとえば、２００枚）以上であるか否かを判別し、収納可能枚数が所定数以上ある場合に、所定の条件が成立したと判定して、貨幣の搬送経路として非保留経路を選択して設定する。なお、収納可能枚数が所定数未満（ニアフル状態）であった場合に、貨幣の搬送経路として保留経路を選択して設定するように構成してもよい。
【０１３６】
これにより、本実施形態の入出金機では、金種別収納部４５がニアフル状態のときに、大量の（たとえば、２００枚を超える）貨幣が投入された場合に、貨幣を直接金種別収納部４５へ搬送せずに、一時保留部４３に一時保留するので、入金処理の途中で金種別収納部４５が貨幣で満杯状態になっても、一時保留部４３に収納可能な枚数までは処理を継続することができる。枚数にもよるが、金種別収納部４５が貨幣で満杯状態でも１取引分は処理を継続できることになり、入金処理を円滑に行うことができる。
【０１３７】
また、条件判定部７７は、上部ユニット１５に設けられた環境状態検知部４７から受信した信号に基づいて、搬送部４６近傍の湿度が予め設定された所定範囲外となった場合、または、搬送部４６近傍の温度が予め設定された所定範囲外となった場合に、所定の条件が成立したと判定して、貨幣の搬送経路として非保留経路を選択して設定する。なお、搬送部４６近傍の湿度が所定範囲内であり、且つ搬送部４６近傍の温度が所定内であった場合に、貨幣の搬送経路として保留経路を選択して設定するように構成してもよい。
【０１３８】
これにより、本実施形態の入出金機では、過度な温度や湿度の上昇に伴い貨幣の搬送状態が変化してジャム等の搬送不良が発生する可能性が高い場合に、非保留経路にて貨幣の搬送を行うので、貨幣を一時保留部４３に一時保留させずに、迅速に入出金処理を完了させることができる。
【０１３９】
また、条件判定部７７は、所定のタイミングで周期的に記憶部１４内のタイムテーブル（図６参照）と動作履歴テーブル（図７参照）と参照して、貨幣の搬送経路を非保留経路に切り替えるか否かを判定する。
【０１４０】
すなわち、条件判定部７７は、一定の時間間隔（たとえば、一時間間隔）でタイムテーブルを参照し、そのときが繁忙期であった場合、または、責任者が在席している期間であった場合、または、有人運用を行っている期間であった場合に、所定の条件が成立したと判定して、貨幣の搬送経路として非保留経路を選択して設定する。なお、その時が閑散期であった場合、または、責任者が不在の期間であった場合、または、無人運用を行っている期間であった場合に、貨幣の搬送経路として保留経路を選択して設定するように構成してもよい。
【０１４１】
これにより、取引の厳正さよりも入金処理の迅速化が望まれる繁忙期、責任者在席時、有人運用時には、入出金機に投入した貨幣が一時保留部４３に一時保留されることなく、金種別収納部４５へ収納されるので、入金処理を迅速化することができる。
【０１４２】
一方、入金処理の迅速化よりも取引の厳正さが望まれる責任者不在時、無人運用時には、入出金機に投入した貨幣が一時保留部４３に一時保留された後、ユーザによる承認操作を待って、貨幣が金種別収納部４５へ収納されるので、取引を厳正化することができる。
【０１４３】
さらに、この入出金機では、責任者不在時や無人運用時に、貨幣を一時保留部４３に一時保持するように設定すれば、ジャム等のトラブルが発生した場合であっても、処理確定現金と処理未確定現金との切り分けができるため、ジャム等のトラブルを解除する際に、現金の処理方法を誤ることが少ない。
【０１４４】
また、条件判定部７７は、一定の時間間隔（たとえば、一時間間隔）で動作履歴テーブルを参照し、搬送部４６のトラブルに起因した停止率を算出し、停止率が予め設定した規定値以下であった場合に、所定の条件が成立したと判定して、貨幣の搬送経路として非保留経路を選択して設定する。なお、停止率が規定値を超えた場合に、貨幣の搬送経路として保留経路を選択して設定するように構成してもよい。
【０１４５】
これにより、本実施形態の入出金機では、上記ジャム等のトラブル発生率が比較的低い場合には、投入された貨幣を一時保留部４３に一時保留させることなく金種別収納部４５へ収納させるので、入金処理の迅速化を図ることができる。
【０１４６】
一方、この入出金機では、上記ジャム等のトラブル発生率が比較的高い場合には、投入された貨幣を一時保留部４３に一時保留させた後に金種別収納部４５へ収納させれば、ジャム等のトラブルが発生した場合であっても、処理確定現金と処理未確定現金との切り分けができる。
【０１４７】
このように、本実施形態に係る入出金機では、ターミナル２の制御部７０が備える条件判定部７７による条件判定に基づき、状況に応じて貨幣の搬送経路を保留経路から非保留経路へ、又は、非保留経路から保留経路へ切り替える設定を行わせることができるので、入金処理の迅速化が優先されるような状況では、投入された貨幣を一時保留部４３に一時保留させることなく金種別収納部４５へ収納させることができ、入金処理を迅速化することができる。
【０１４８】
一方、この入出金機では、条件判定部７７による条件判定に基づき、入金処理の迅速化よりも取引の厳正さが優先されるような状況では、投入された貨幣を一時保留部４３に一時保留させた後、金種別収納部４５へ収納させることができるので、入金処理を厳正に行うことができる。
【０１４９】
なお、図３では、有価媒体情報取得部７８をターミナル２の制御部７０内部に設けているが、この有価媒体情報取得部７８は、必ずしもターミナル２側に設ける必要はなく、有価媒体情報取得７８を処理機１側に設け、条件判定部７７が条件判定を行う際に、処理機１側に設けた有価媒体情報取得部７８から適宜有価媒体情報を受信するように構成してもよい。
【０１５０】
また、図３に示した入出金機では、ターミナル２にのみ制御部７０を設け、制御部７０により入出金機全体の動作を統括制御するように構成しているが、処理機１側にも処理機１用の制御部を設け、制御部７０が備える制御機能のうち、処理機１の動作を制御する機能を分割して、その機能を処理機１用の制御部に担わせるように構成してもよい。
【０１５１】
次に、本実施形態に係る入出金機の制御部７０で実行される処理について、図８〜図１０を参照して説明する。図８〜図１０は、入出金機の制御部７０で実行される処理を示すフローチャートである。入出金機の制御部７０は、電源が投入されている間、図８〜図１０のフローチャートに示す処理を繰り返し実行する。
【０１５２】
図８に示すように、制御部７０は、入出金機に電源が投入されるとタイムテーブル（図６参照）を参照して（ステップＳ１０１）、タイムテーブルにフラグとして「１」が記憶されているか否かの判定を行う（ステップＳ１０２）。
【０１５３】
ここで、制御部７０は、フラグとして「１」が記憶されていた場合、すなわち、今が繁忙期、または責任者在席期間、または有人運用期間であった場合に（ステップＳ１０２：Ｙｅｓ）、搬送路設定処理（１）を実行する（ステップＳ１０３）。この搬送路設定処理（１）において、制御部７０は、貨幣の搬送経路として非保留経路を選択して設定する。
【０１５４】
一方、制御部７０は、タイムテーブルにフラグとして「０」が記憶されていた場合、すなわち、今が閑散期、または責任者不在期間、または無人運用期間であった場合に（ステップＳ１０２：Ｎｏ）、搬送路設定処理（２）を実行する（ステップＳ１０４）。この搬送路設定処理（２）において、制御部７０は、貨幣の搬送経路として保留経路を選択して設定する。
【０１５５】
続いて、制御部７０は、割込処理が発生したか否かを判定し（ステップＳ１０５）、割込処理が発生したと判定した場合に（ステップＳ１０５：Ｙｅｓ）、処理をステップＳ１０６へ移して割込処理を実行する。この割込処理については、後に図９を参照して具体的に説明する。また、制御部７０は、割込処理が発生しなかったと判定した場合に（ステップＳ１０５：Ｎｏ）、処理を終了して、再度ステップＳ１０１から処理を開始する。
【０１５６】
次に、制御部７０がステップＳ１０５で実行する割込処理について説明する。この割込み処理は、制御部７０が所定周期で記憶部１４を参照したとき、制御部７０が紙幣検知部４１ａ、硬貨検知部４１ｂ、数量検知部４１ｃ、収納可能数検知部４５ａ、環境状態検知部４７、識別部５０から所定の信号または判別結果を受信したとき、ユーザ情報受付部１２がユーザのＩＤカードを受付けたとき、ユーザにより表示操作部１１が操作されたとき等に実行される処理である。
【０１５７】
図９に示すように、制御部７０は、割込み処理が開始されると、動作履歴テーブル（図７参照）に基づいて、搬送部４６の停止率が所定の規定値以下であるか否かの判定を行い（ステップＳ２０１）、停止率が規定値以下であると判定した場合に（ステップＳ２０１：Ｙｅｓ）、処理をステップＳ２０４へ移す。一方、制御部７０は、停止率が所定の規定値を超えていると判定した場合（ステップＳ２０１：Ｎｏ）、処理をステップＳ２０２へ移す。
【０１５８】
ステップＳ２０２において、制御部７０は、金種別収納部４５がニアフル状態でないか否かの判定を行い、ニアフル状態でないと判定した場合に（ステップＳ２０２：Ｙｅｓ）処理をステップＳ２０４へ移す。一方、制御部７０は、金種別収納部４５がニアフル状態であると判定した場合（ステップＳ２０２：Ｎｏ）、処理をステップＳ２０３へ移す。
【０１５９】
ステップＳ２０３において、制御部７０は、特定環境状態になったか否かの判定を行う。この（ステップＳ２０３）において、制御部７０は、搬送部４６近傍の湿度又は温度が所定範囲外になった場合に、特定環境状態になったと判定する。
【０１６０】
そして、制御部７０は、特定環境状態になったと判定した場合に（ステップＳ２０３：Ｙｅｓ）、処理をステップＳ２０４へ移す。一方、制御部７０は、特定環境状態になっていないと判定した場合に（ステップＳ２０３：Ｎｏ）、処理をステップＳ２０５へ移す。
【０１６１】
ステップＳ２０３において、制御部７０は、搬送路設定処理（３）を行うことにより、貨幣の搬送経路として非保留経路を選択して設定し、その後、処理をステップＳ２０６へ移す。また、ステップＳ２０５において、制御部７０は、搬送路設定処理（４）を行うことにより、貨幣の搬送経路として保留経路を選択して設定し、その後、処理をステップＳ２０６へ移す。
【０１６２】
ステップＳ２０６において、制御部７０は、ユーザによる入金操作が有ったか否かの判定を行い、入金操作があったと判定した場合に（ステップＳ２０６：Ｙｅｓ）、入金処理を実行し（ステップＳ２０７）、その後、処理を終了する。この入金処理については、後に図１０を参照して具体的に説明する。
【０１６３】
一方、制御部７０は、入金操作がなかったと判定した場合に（ステップＳ２０６：Ｎｏ）、ユーザによる出金操作があったか否かの判定を行い（ステップＳ２０８）、出金操作が有ったと判定した場合に（ステップＳ２０８：Ｙｅｓ）、処理をステップＳ２０９へ移す。一方、制御部７０は、出金操作がなかったと判定した場合（ステップＳ２０８：Ｎｏ）、処理を終了する。
【０１６４】
ステップＳ２０９において、制御部７０は、ユーザの信頼度が所定の信頼度以上であるか否かの判定を行い、ユーザの信頼度が所定の信頼度以上であると判定した場合（ステップＳ２０９：Ｙｅｓ）、処理をステップＳ２１０へ移す。一方、制御部７０は、ユーザの信頼度が所定の信頼度未満であると判定した場合（ステップＳ２０９：Ｎｏ）、処理を終了する。
【０１６５】
ステップＳ２１０において、制御部７０は、動作履歴テーブル（図７参照）に基づいて、搬送部４６の停止率が所定の規定値以下であるか否かの判定を行い、停止率が規定値以下であると判定した場合に（ステップＳ２１０：Ｙｅｓ）、処理をステップＳ２１１へ移す。一方、制御部７０は、搬送部４６の停止率が所定の規定値を超えていると判定した場合（ステップＳ２１０：Ｎｏ）、処理をステップＳ２１２へ移す。
【０１６６】
ステップＳ２１１において、制御部７０は、搬送路設定処理（５）を行うことにより、貨幣の搬送経路として非保留経路を選択して設定し、その後、処理をステップＳ２１３へ移す。また、ステップＳ２１２において、制御部７０は、搬送路設定処理（６）を行うことにより、貨幣の搬送経路として保留経路を選択して設定し、その後、処理をステップＳ２１３へ移す。そして、制御部７０は、ステップＳ２１３において出金処理を実行し、その後、処理を終了する。
【０１６７】
なお、図９に示したフローチャートでは、搬送部４６の停止率が規定値以下であった場合、または、金種別収納部４５がニアフル状態でない場合、または、搬送部４６近傍の環境状態が特定環境状態であった場合に、貨幣の搬送経路として非保留経路を選択して設定する場合を例に挙げて説明したが、制御部７０に実行させる処理手順は、これに限定するものではなく、他の処理手順により、状況に応じて保留経路と非保留経路とから貨幣の搬送経路を選択して決定し、決定した搬送経路を設定してもよい。
【０１６８】
たとえば、搬送部４６の停止率が規定値以下であり、且つ、金種別収納部４５がニアフル状態でなく、且つ、搬送部４６近傍の環境状態が特定環境状態であった場合に、貨幣の搬送経路として非保留経路を選択するように制御部７０に実行させる処理を変更してもよい。
【０１６９】
また、図９に示したフローチャートでは、搬送部４６の停止率が規定値より高く、金種別収納部４５がニアフル状態であり、搬送部４６近傍の環境状態が特定環境状態でなかった場合に、貨幣の搬送経路として保留経路を選択して設定する場合を例に挙げて説明したが、搬送部４６の停止率が規定値よりも高い場合、または、金種別収納部４５がニアフル状態であった場合、または、搬送部４６近傍の環境状態が特定環境状態でなかった場合に、貨幣の搬送経路として非保留経路を選択するように制御部７０に実行させる処理を変更してもよい。
【０１７０】
次に、制御部７０がステップＳ２０８で実行する入金処理について、図１０を参照して説明する。図１０に示すように、制御部７０は、入金処理が開始されると、ユーザ情報受付部１２がユーザ識別情報を受付けたか否かの判定を行う（ステップＳ３０１）。
【０１７１】
そして、制御部７０は、ユーザ識別情報を受付けていないと判定した場合（ステップＳ３０１：Ｎｏ）、ユーザ識別情報を受付けるまでステップＳ３０１の判定処理を繰り返す。一方、制御部７０は、ユーザ識別情報を受付けたと判定した場合に（ステップＳ３０１：Ｙｅｓ）、ユーザ情報テーブル（図５参照）を参照してユーザの識別判定を行い（ステップＳ３０２）、その後、ステップＳ３０２で判定したユーザ種別が特定のユーザを示す「１」であったか否かの判定を行う（ステップＳ３０３）。
【０１７２】
そして、制御部７０は、ステップＳ３０２で判定したユーザ種別が「１」であったと判定した場合（ステップＳ３０３：Ｙｅｓ）、処理をステップＳ３０７へ移す。一方、制御部７０は、ユーザ種別が「１」でなかったと判定した場合（ステップＳ３０３：Ｎｏ）、処理をステップＳ３０４へ移す。
【０１７３】
ステップＳ３０４において、制御部７０は、ユーザによる入金操作の種類が補充入金であるか否かの判定を行い、補充入金であると判定した場合に（ステップＳ３０４：Ｙｅｓ）、処理をステップ３０７へ移す。一方、制御部７０は、ユーザによる入金操作の種類が補充入金でないと判定した場合（ステップＳ３０４：Ｎｏ）、処理をステップＳ３０５へ移す。
【０１７４】
ステップＳ３０５において、制御部７０は、入金金額の指定が有ったか否かの判定を行い、入金金額の指定が有ったと判定した場合に（ステップＳ３０５：Ｙｅｓ）、処理をステップＳ３０７へ移す。一方、制御部７０は、入金金額の指定がなかったと判定した場合に（ステップＳ３０５：Ｎｏ）、処理をステップＳ３０６へ移す。
【０１７５】
ステップＳ３０６において、制御部７０は、入金部４１に投入された貨幣の入金枚数が所定枚数以上か否かの判定を行い、所定枚数以上であると判定した場合に（ステップＳ３０６：Ｙｅｓ）、処理をステップＳ３０７へ移す。一方、制御部７０は、入金部４１に投入された貨幣の入金枚数が所定枚未満であると判定した場合に（ステップＳ３０６：Ｎｏ）、処理をステップＳ３０８へ移す。
【０１７６】
そして、制御部７０は、ステップＳ３０７において、搬送路設定処理（７）を行うことにより、貨幣の搬送経路として非保留経路を選択して設定し、その後、処理をステップＳ３０９へ移す。また、ステップＳ３０８において、制御部７０は、搬送路設定処理（８）を行うことにより、貨幣の搬送経路として保留経路を選択して設定し、その後、処理をステップＳ３０９へ移す。
【０１７７】
ステップＳ３０９において、制御部７０は、搬送部４６を制御して、入金部４１に投入された貨幣を識別部５０に搬送する搬送処理を実行し、その後、有価媒体情報取得７８により取得した有価媒体情報に基づいて、投入された貨幣の識別判定処理を実行する（ステップＳ３１０）。
【０１７８】
続いて、制御部７０は、識別判定処理の結果、入金部４１に投入された貨幣が単一金種であるか否かの判定を行い（ステップＳ３１１）、単一金種であると判定した場合に（ステップＳ３１１：Ｙｅｓ）、処理をステップＳ３１５へ移す。一方、制御部７０は、入金部４１に投入された貨幣が単一金種でないと判定した場合に（ステップＳ３１１：Ｎｏ）、処理をステップＳ３１２へ移す。
【０１７９】
ステップＳ３１２において、制御部７０は、入金部４１に投入された貨幣が単国貨幣であるか否かの判定を行い、単国貨幣であると判定した場合に（ステップＳ３１２：Ｙｅｓ）、処理をステップＳ３１５へ移す。一方、制御部７０は、入金部４１に投入された貨幣が単国貨幣でないと判定した場合に（ステップＳ３１２：Ｎｏ）、処理をステップＳ３１３へ移す。
【０１８０】
ステップＳ３１３において、入金部４１に投入された貨幣に特定貨幣（たとえば、多角形状の硬貨等）が含まれていないか否かの判定を行い、特定貨幣が含まれていないと判定した場合に（ステップＳ３１３：Ｙｅｓ）、処理をステップＳ３１５へ移す。一方、制御部７０は、入金部４１に投入された貨幣に特定貨幣が含まれていると判定した場合に（ステップＳ３１３：Ｎｏ）、処理をステップＳ３１４へ移す。
【０１８１】
ステップＳ３１４において、入金部４１に投入された貨幣に損券（偽券及び偽券の可能性が高い紙葉類を含む）が含まれていないか否かの判定を行い、損券が含まれていないと判定した場合に（ステップＳ３１４：Ｙｅｓ）、処理をステップＳ３１５へ移す。一方、制御部７０は、入金部４１に投入された貨幣に損券が含まれていると判定した場合に（ステップＳ３１４：Ｎｏ）、処理をステップＳ３１６へ移す。
【０１８２】
そして、制御部７０は、ステップＳ３１５において、搬送路設定処理（９）を行うことにより、貨幣の搬送経路として非保留経路を選択して設定し、その後、処理をステップＳ３１７へ移す。また、ステップＳ３１６において、制御部７０は、搬送路設定処理（１０）を行うことにより、貨幣の搬送経路として保留経路を選択して設定し、その後、処理をステップＳ３１７へ移す。
【０１８３】
ステップＳ３１７において、制御部７０は、搬送部４６を制御して、貨幣を識別部５０から送り出す搬送処理を実行する。このとき、制御部７０は、貨幣の搬送経路を保留経路に切り替えていた場合に、貨幣を識別部５０から一時保留部４３へ搬送させ、貨幣の搬送経路を非保留経路に切り替えていた場合には、貨幣を識別部５０から金種別収納部４５へ搬送させる。
【０１８４】
その後、制御部７０は、入金部４１に投入された全ての貨幣を識別部５０から送り出す搬送処理が完了したか否かの判定を行い（ステップＳ３１８）、搬送処理が完了したと判定した場合に（ステップＳ３１８：Ｙｅｓ）、処理を終了し、搬送処理が完了していないと判定した場合に（ステップＳ３１８：Ｎｏ）、処理をステップＳ３０９へ移す。
【０１８５】
以上のように、本実施形態に係る入出金機では、制御部７０に設けた条件判定部７７が、状況に応じて貨幣の搬送経路を保留経路から非保留経路へ、又は、非保留経路から保留経路へ切り替える設定を行うので、入金処理の迅速化が優先されるような状況では、投入された貨幣を一時保留部４３に一時保留させることなく金種別収納部４５へ収納させることができ、入金処理を迅速化することができる。
【０１８６】
一方、この入出金機では、条件判定部７７による条件判定に基づき、入金処理の迅速化よりも取引の厳正さが優先されるような状況では、投入された貨幣を一時保留部４３に一時保留させた後、金種別収納部４５へ収納させることができ、入金処理を厳正に行うことができる。
【０１８７】
また、図１０に示したフローチャートでは、ユーザの種別が「１」であった場合、または、入金が補充入金であった場合、または、入金金額の指定があった場合、または、入金枚数が所定枚数以上であった場合に、貨幣の搬送経路として非保留経路を選択して設定する場合を例に挙げて説明したが、ユーザの種別が「１」であり、且つ、入金が補充入金であり、且つ、入金金額の指定があり、且つ、入金枚数が所定枚数以上であった場合に、貨幣の搬送経路として非保留経路を選択して設定するように制御部７０に実行させる処理を変更してもよい。
【０１８８】
また、図１０に示したフローチャートでは、ユーザの種別が「１」でなく、且つ、入金が補充入金でなく、且つ、入金金額の指定がなく、且つ、入金枚数が所定枚数よりも少なかった場合に、貨幣の搬送経路として保留経路を選択して設定する場合を例に挙げて説明したが、ユーザの種別が「１」でなかった場合、または、入金が補充入金でなかった場合、または、入金金額の指定がなかった場合、または、入金枚数が所定枚数よりも少なかった場合に、貨幣の搬送経路として保留経路を選択して設定するように制御部７０に実行させる処理を変更してもよい。
【０１８９】
さらに、図１０に示したフローチャートでは、処理機１に投入された貨幣が単一金種であった場合、または、単国貨幣であった場合、または、特定貨幣が含まれていなかった場合、または、損券が含まれていなかった場合に、貨幣の搬送経路として非保留経路を選択して設定する場合を例に挙げて説明したが、処理機１に投入された貨幣が単一金種であり、且つ、単国貨幣であり、且つ、特定貨幣が含まれておらず、且つ、損券が含まれていなかった場合に、貨幣の搬送経路として非保留経路を選択して設定するように制御部７０に実行させる処理を変更してもよい。
【０１９０】
また、図１０に示したフローチャートでは、処理機１に投入された貨幣が単一金種でなく、且つ、単国貨幣でなく、且つ、特定貨幣が含まれており、且つ、損券が含まれていた場合に、貨幣の搬送経路として保留経路を選択して設定する場合を例に挙げて説明したが、処理機１に投入された貨幣が単一金種でなかった場合、または、単国貨幣でなかった場合、または、特定貨幣が含まれていた場合、または、損券が含まれていた場合に、貨幣の搬送経路として保留経路を選択して設定するように制御部７０に実行させる処理を変更してもよい。
【０１９１】
また、上記実施形態において列挙した条件判定部７７が所定の条件の成立を判定する基準は一例に過ぎず、入出金機が貨幣を識別する際に取得した各種情報を用いて他の判定基準を設け、その判定基準に基づいて所定の条件が成立したか否かを条件判定部７７に判定させて、貨幣の搬送経路を選択して切り替えるように入出金機を構成してもよい。
【０１９２】
たとえば、有価媒体情報取得部７８に、有価媒体情報として、投入口に投入された有価媒体の表裏を示す表裏情報を取得する表裏情報取得部を設け、制御部７０が、表裏情報取得部により取得された表裏情報に基づいて、搬送部４６を制御して保留経路と非保留経路とから貨幣の搬送経路を選択して決定し、決定した搬送経路を通じて貨幣の搬送を行わせるように入出金機を構成してもよい。
【０１９３】
また、収納可能数検知部４５ａを収納部における貨幣の有無を検知する収納状態検知部として機能させ、収納状態検知部により収納部に貨幣が無いことを検知した場合に、制御部７０が、所定の条件が成立したと判定して、貨幣が無いことが検知された収納部へ貨幣を搬送する際に、貨幣の搬送経路として非保留経路を選択するように入出金機を構成してもよい。
【０１９４】
かかる構成とすることにより、貨幣を収納する収納部に貨幣が収納されていない場合に限って貨幣をその収納部に収納するので、一時保留部を介して収納していた場合に比べて貨幣の収納に要する時間を短くすることができる。
【０１９５】
また、一回の入金について誤って入金してしまっても収納する貨幣を収納する収納部は空の状態の収納部に限られるので、既に収納されている貨幣と混在することがなく、その入金された貨幣の現物だけを取り出すことが出来る。
【０１９６】
ここで、他の実施例として、図１１、図１２に基づき説明する。まず、図１１を参照して、制御部７０が、収納状態検知部により収納部に貨幣が無いことを検知した場合に、所定の条件が成立したと判定して、貨幣が無いことが検知された収納部へ貨幣を搬送する際に、貨幣の搬送経路として非保留経路を選択するように構成した処理機の一例について説明する。
【０１９７】
図１１に示すように、この処理機１００は、投入口１０１と、識別部１０２と、入金一時保留部１０３と、カセット（１）混合１０４、カセット（２）混合１０５、カセット（３）混合１０６、カセット（４）一括１０７、入金リジェクト部１０８、搬送部１０９を備えている。
【０１９８】
投入口１０１は、処理機１００前面に設けられ、ユーザ、特に銀行員が紙幣１１０を複数枚重ねてセットし、所定の入金ボタン（図示略）を操作することにより、紙幣１１０を一枚ずつ繰り出して処理機１００の内部へ取り込む機能を備えている。
【０１９９】
識別部１０２は、搬送部１０９の搬送路中に設けられ、投入口１０１から搬送された紙幣１１０の金種（千円、二千円、五千円、万円）、正損、正偽を識別および判別を行う機能を備えている。
【０２００】
入金一時保留部１０３は、処理機１００の下部に設けられ、投入口１０１から入金された紙幣１１０が一旦収納されるカセットである。この入金一時保留部１０３の上端には搬送路に搬送される紙幣１１０が入金一時保留部１０３に搬送されるように搬送方向を切替える三方向分岐弁が設けられている。そして入金された紙幣１１０で入金リジェクト部１０８に排出されない紙幣１１０は一旦この入金一時保留部１０３に収納される。
【０２０１】
そして、この入金一時保留部１０３に収納された紙幣１１０は、ユーザが返却か収納かのスイッチ（図示略）を操作することにより、この入金一時保留部１０３から繰り出される。返却の場合、ここから繰り出された紙幣１１０は識別部１０２を通って投入口１０１に返却される。収納の場合、この入金一時保留部１０３から繰り出された紙幣１１０は識別部１０２を通りカセット（１）〜（３）混合１０４〜１０６に収納される。
【０２０２】
カセット（１）〜（３）混合１０４〜１０６は、処理機１１０の下部に複数個並列に設けられ、紙幣１１０が金種混合の状態で収納される。これら各カセット（１）〜（３）混合１０４〜１０６の上端には三方向分岐弁が設けられており、この弁の方向により、紙幣１１０が各カセット（１）〜（３）混合１０４〜１０６に収納されるか、そのまま通過するかが切替えられる。
【０２０３】
そして、入金一時保留部１０３に保留された紙幣１１０は、ユーザが収納を指示した場合、入金一時保留部１０３からカセット（１）〜（３）混合１０４〜１０６に搬送される。このとき搬送される紙幣１１０は、入金一時保留部１０３から識別部１０２を通り、図面左側から搬送されてカセット（１）〜（３）混合１０４〜１０６に収納されることになる。
【０２０４】
また、カセット（１）〜（３）混合１０４〜１０６内には、それぞれ各カセット内における紙幣の有無を検知する収納状態検知部１０４ａ、１０５ａ、１０６ａが設けられている。
【０２０５】
カセット（４）一括１０７は、入金一時保留部１０３およびカセット（１）〜（３）混合１０４〜１０６と並列に配置されたカセットである。
【０２０６】
入金一時保留部１０３で収納が指示された紙幣１１０は、識別部１０２を通過するのであるが、識別部１０２で識別できなかったり、損券であると判別された場合、このカセット（４）一括１０７に収納される。
【０２０７】
入金リジェクト部１０８には、識別部１０２により識別できないと判別された紙幣１１０や損券と判別された紙幣１１０がループ上に形成された搬送路の下側を通って排出される。
【０２０８】
次に、図１１に示す処理機１００が入金処理を実行する際の動作について説明する。図１１に示す処理機１００では、ユーザにより投入口１０１に紙幣１１０がセットされると、各収納状態検知部１０４ａ、１０５ａ、１０６ａの検知結果に基づいて、各カセット（１）〜（３）混合１０４〜１０６に紙幣１１０が収納されていない空きカセットがあるかどうかが判定される。
【０２０９】
例えば、図１１に示すように、カセット（２）混合１０５とカセット（１）混合１０４とが空き状態であった場合、処理機１００では、自動的に入金一時保留部１０３を使用しない経路（非保留経路）により紙幣１１０を搬送して収納するように判断され、投入口１０１にセットされた紙幣１１０は、識別部１０２を通り、そのままカセット（１）混合１０４に入金される。また、次の入金があった場合、次の空きカセットであるカセット（２）混合１０５に、同じく非保留経路により紙幣１１０が入金される。
【０２１０】
また、この処理機１００では、更に次の入金があった場合、既に空きカセットは無い状態であるので、ユーザにより投入口１０１にセットされた紙幣１１０は、一枚ずつ繰り出され、識別部１０２で金種を識別して計数された後、入金一時保留部１０３に入金される。
【０２１１】
その後、処理機１００は、入金が終了した際、ユーザに対して入金を確定させるかどうかの指示を出し、確定のスイッチ（図示略）が操作された時、入金一時保留部１０３からカセット（１）〜（３）混合１０４〜１０６に紙幣１１０が搬送されて収納される。
【０２１２】
すなわち、この処理機１００では、投入口１０１に紙幣がセットされたときに、空きカセットが無い場合、紙幣１１０を入金一時保留部１０３に保留した後、カセット（１）〜（３）混合１０４〜１０６に入金する経路（保留経路）により紙幣１１０を搬送して収納する。
【０２１３】
この場合、カセット（４）一括１０７側のカセット（３）混合１０６から順に、カセット内が紙幣１１０で一杯になると、次のカセットに紙幣１１０の収納場所が移り、順に収納されていく。なお、この実施例では投入口１０１に紙幣１１０をセットした際、自動で入金経路を選択するようにしたが、紙幣１１０をセットした際にユーザが収納方法を選択することによって入金経路を切替えるように構成してもよい。
【０２１４】
また、前述の収納状態検知部１０４ａ、１０５ａ、１０６ａが有価媒体情報取得部７８により取得された貨幣の種類を示す情報に対応した金種別収納部４５に貨幣が無いことを検知した場合に、制御部７０が、所定の条件が成立したと判定して、貨幣の搬送経路として非保留経路を選択するように入出金機を構成してもよい。
【０２１５】
かかる構成とした場合、金種別収納部４５が貨幣の種類、例えば紙幣の金種毎に分けられているため、金種混合で入金を行う場合、貨幣の入っていない金種別収納部４５に限って、一時保留部４３を介さずに貨幣の収納を行うため、一時保留部を介して収納していた場合に比べて貨幣の収納に要する時間を短くすることができる。
【０２１６】
次に、収納状態検知部が有価媒体情報取得部７８により取得された貨幣の種類を示す情報に対応した金種別収納部に貨幣が無いことを検知した場合に、制御部７０が、所定の条件が成立したと判定して、貨幣の搬送経路として非保留経路を選択するように構成した処理機の一例について、図１２を参照して説明する。
【０２１７】
図１２に示すように、この処理機２００は、投入口２０１と、識別部２０２と、入金一時保留部２０３と、カセット（１）金種２０４、カセット（２）金種２０５、カセット（３）金種２０６、カセット（４）一括２０７、入金リジェクト部２０８、搬送部２０９、出金リジェクト部２１０、整理一時保留部２１１を備えている。
【０２１８】
この処理機２００において、識別部２０２と、入金一時保留部２０３と、カセット（４）一括２０７、入金リジェクト部２０８、搬送部２０９は、それぞれ前述の処理機１００における識別部１０２と、入金一時保留部１０３と、カセット（４）一括１０７、入金リジェクト部１０８、搬送部１０９と同様の機能を備えている。
【０２１９】
投入口２０１は、入金用の紙幣１１０をセットする際に使用される他、出金用の紙幣１１０を集積する場合にも使用される。そのため、この投入口２０１にはシャッター（図示せず）が設けられており、出金用の紙幣１１０の集積が完了したときにシャッタを開放し、出金用の紙幣１１０を取り出せるようになっている。
【０２２０】
出金リジェクト部２１０は、ユーザの操作面側に設けられ、出金の際に斜行等により、識別部２０２で識別できなかった紙幣１１０を排出するための排出口である。
【０２２１】
整理一時保留部２１１は、ユーザによって帯封の指示があった場合、後述するカセット（１）〜（３）金種２０４〜２０６から紙幣１１０を繰り出し、所定枚数（１００枚）になるまで集積する整理用の一時保留部であり、ここに集積された紙幣１１０は図示しない帯封部によって帯封されることになる。
【０２２２】
カセット（１）〜（３）金種２０４〜２０６は、紙幣１１０が金種毎に収納されるように設けられている。この実施例においては、カセット（１）金種２０４が一万円札、カセット（２）金種２０５が五千円札、カセット（３）金種２０６が千円札に指定されており、収納される際に金種に分けて収納されることになる。
【０２２３】
これらカセット（１）〜（３）金種２０４〜２０６内にも、それぞれ各カセット内における紙幣の有無を検知する収納状態検知部２０４ａ、２０５ａ、２０６ａが設けられている。
【０２２４】
次に、図１２に示す処理機２００が入金処理を実行する際の動作について説明する。図１２に示す処理機２００では、ユーザにより投入口２０１に紙幣がセットされると、各収納状態検知部２０４ａ、２０５ａ、２０６ａの検知結果に基づいて、カセット（１）〜（３）金種２０４〜２０６に紙幣１１０が収納されていない空きカセットがあるかどうかが判定される。
【０２２５】
例えば、図１２に示すように、カセット（１）金種２０４とカセット（３）金種２０６とが空き状態であった場合、処理機２００では、一万円札と千円札とを自動的に入金一時保留部２０３を使用しない経路（非保留経路）により搬送して収納するように判断され、投入口２０１にセットされた紙幣１１０は、識別部２０２を通り、千円札の場合はカセット（３）金種２０６へ、一万円札の場合はカセット（１）金種２０４へ入金される。
【０２２６】
一方、この処理機２００では、投入口２０１にセットされた紙幣１１０が五千円札であった場合、五千円札を収納するカセット（２）金種２０５は紙幣が入っている状態であるため、カセット（２）金種２０５へは搬送せずに、一旦、入金一時保留部２０３へ収納する。
【０２２７】
また、投入口２０１にセットされた紙幣１１０が二千円札であった場合、この処理機２００には、二千円札に指定されているカセットがないため、一旦、入金一時保留部２０３へ収納する。
【０２２８】
すなわち、この場合、処理機２００では、千円札および一万円札を非保留経路により搬送する一方、五千円札および二千円札を保留経路により搬送する。
【０２２９】
そして、処理機２００では、入金が終了した際、ユーザに対して入金を確定させるかどうかの指示を出し、確定のスイッチ（図示略）が操作された時、入金一時保留部２０３から五千円札がカセット（２）金種２０５へ搬送されて収納され、二千円はカセット（４）一括２０７へ搬送されて収納される。
【０２３０】
この実施例では投入口２０１に紙幣１１０をセットした際、自動で入金経路を選択するようにしたが、紙幣１１０をセットした際にユーザが収納方法を選択することによって経路を切替えるように構成してもよい。
【０２３１】
また、自動で入金経路を選択する場合、営業前に予め貨幣を装填しておく時に、この運用を選択することが望ましい。貨幣の装填時は、金種や貨幣の状態（正券）がある程度分かっているので、装填時に限ってこのような運用を行うことで、エラーが生じることが少なく、早く収納が行えるという効果を奏する。
【０２３２】
このように、処理機２００では、金種混合で紙幣１１０がセットされた場合、空きカセットに限って、そのカセットに指定されている金種の紙幣を非保留経路により搬送して収納するので、一旦、入金一時保留部２０３に収納する場合に比べて紙幣の収納に要する時間が短くなると共に、空きカセットに限って直接収納するので、トラブルがあっても前に収納していた紙幣１１０と混じることが無いのでトラブルを避けることができる。
【０２３３】
次に、処理機２００が出金処理を実行する際の動作について説明する。この処理機２００では、ユーザにより出金金額が指定されると、それぞれの金種で何枚必要かが計算され、各カセット（１）〜（３）金種２０４〜２０６の夫々から、各金種の紙幣１１０が所望された枚数出金される。
【０２３４】
各カセット（１）〜（３）金種２０４〜２０６から繰り出された紙幣１１０は、識別部２０２を通して投入口２０１に出金される。識別部２０２で斜行や重走（二枚重なって搬送されること）が検知された場合、その紙幣１１０は、出金リジェクト部２１０に排出される。
【０２３５】
また、所定の紙幣１１０を帯封によって出金する場合、処理機２００では、指定された金種が収納されている各カセット（１）〜（３）金種２０４〜２０６から１００枚が繰り出され、一枚ごとに整理一時保留部２１１に集積される。そして、集積された後、１００枚が帯封部（図示略）に搬送されて帯封されることになる。
【０２３６】
本発明を、完全かつ明確な開示となるように特定の実施形態により説明したが、添付の特許請求の範囲は、それに限定されるものではなく、ここで述べた教示を基礎とした範囲内において当業者によって容易に導き出すことができるすべての変形例や代替となる構成を実現できるものとして解釈されるべきものである。
【図１】
2010170552.tif 000003
【図２】
2010170552.tif 000004
【図３】
2010170552.tif 000005
【図４】
2010170552.tif 000006
【図５】
2010170552.tif 000007
【図６】
2010170552.tif 000008
【図７】
2010170552.tif 000009
【図８】
2010170552.tif 000010
【図９】
2010170552.tif 000011
【図１０】
2010170552.tif 000012
【図１１】
2010170552.tif 000013
【図１２】
2010170552.tif 000014
【外国語明細書】
2010170552000001.pdf